(57)【特許請求の範囲】
【請求項１】
水道蛇口固定部品類と、上ケースと、弁本体と、該弁本体右側面部に設けられ、水道水ストレート吐水、水道水シャワー吐水の切替え、又は水道水ストレート吐水、水道水シャワー吐水、水処理器処理水吐水の切替え操作ができて規定角度範囲内で回動するレバーと、複数の小孔を有する水道水シャワー吐水口と水道水ストレート吐水口とを有する下ケースと、からなる切替栓類において、水道水シャワー吐水口の内面に、該小孔の周囲に中空円柱を設け、該中空円柱の内周部に螺旋状突起を設けたことを特徴とする切替栓類の水道水シャワー吐水口。
【発明の詳細な説明】
【技術分野】
【０００１】
本発明は、水道蛇口に直結できる切替栓類〔例えば、単に水道水ストレート吐水／水道水シャワー吐水を切替える切替栓、切替栓一体型浄水器（所謂蛇口直結型浄水器をいい、各種ミネラル添加も含む。通常、レバー切替えで水道水ストレート吐水／水道水シャワー吐水／処理水（浄水）吐水が可能。）、切替栓分離型水処理器（水処理器には据置型の浄水器、ミネラル水生成器、冷水器、アルカリイオン整水器、等が該当する。通常、水処理器と切替栓とを給水ホース等で接続して使用する。水処理器用の切替栓は１ウェイタイプ（水処理器への分岐給水ができるものをいう。通常、レバー切替えで水道水ストレート吐水／水道水シャワー吐水／水処理器分岐給水が可能。）、２ウェイタイプ（水処理器に分岐給水し、水処理器からの処理水を切替栓に戻して吐水させるものをいう。通常、レバー切替えで水道水ストレート吐水／水処理器処理水吐水、又は水道水ストレート吐水／水道水シャワー吐水／水処理器処理水吐水が可能。）、等が有る。）、等をいう。〕の水道水シャワー吐水の良好な整流効果を有する水道水シャワー吐水口の改善に関する。
【背景技術】
【０００２】
従来、水栓から吐水される水道水の給水音やシンク等への落下音を小さくしたり水撥ねを無くす為に、例えば、泡沫発生装置を水栓キャップに入れて、該水栓キャップを水栓の吐水口に螺着（構造的に、該筒容器と該水栓キャップとの空隙が空気導入口になっている。）して、泡沫吐水とすることで課題解決をしているものが一般的であった。尚、稀ではあるが、水道水圧が所定圧より低い場合は、該筒容器の空気導入スリットから水道水が吐水されて、泡沫吐水の品質が損なわれるような吐水状態（例えば、吐水口から水漏れを起こしているような滴を伴った整流吐水。）となることもあった（例えば、特許文献１、２、３参照。）。
【０００３】
そして、最近は浄水器やアルカリイオン整水器、冷水器、等の水処理器が普及してきて、該水栓には切替栓一体型浄水器（弁本体はボール弁方式については、例えば、特許文献４参照。弁本体はシート弁方式については、例えば、特許文献５参照。）、切替栓切替型水処理器用の切替栓（１ウェイタイプにおいては、例えば、特許文献６参照。２ウェイタイプにおいては、特許文献７参照。）、等の切替栓類（水道蛇口固定部品類と、上ケースと、弁本体と、該弁本体右側面部に設けられたレバーと、シャワーキャップと、水道水シャワー吐水口と水道水ストレート吐水口とを有する下ケースと、からなり、該レバーに連動して、水道水ストレート吐水、水道水シャワー吐水の切替え、又は水道水ストレート吐水、水道水シャワー吐水、水処理器処理水吐水の切替え操作ができる弁本体の構造には、例えば、ボール弁方式、ドラム弁方式、シート弁方式、スプール弁方式等がある。）が取り付けられるようになった。
【０００４】
水道水シャワー吐水の改善実施例としては、下ケースの内面側の水道水シャワー吐水口に仕切リブを設けたものが、知られている（例えば、特許文献８参照。）。
又、該水道水シャワー吐水口の小孔を先細り形状にして若干偏心させたものが知られている（例えば、特許文献９参照。）。
【０００５】
【特許文献１】特公昭６３−３１６２１号公報
【特許文献２】特開平３−８９４０号公報
【特許文献３】特開平８−３０９２３４号公報
【特許文献４】実開平７−１７３８５号公報
【特許文献５】特開平１０−２９６２４４号公報
【特許文献６】特開平９−２９０２５５号公報
【特許文献７】特開２０００−２８０１９号公報
【特許文献８】特開平９−２２５３４６号公報
【特許文献９】特開平７−１５５６４８号公報
【発明の開示】
【発明が解決しようとする課題】
【０００６】
しかしながら、これらの切替栓類から吐水される水道水の給水音やシンク等への落下音を小さくしたり水撥ねを無くす課題が解決された今は、下ケースの水道水シャワー吐水口から垂直に吐水されていない（垂直線に対して、偏心した状態で吐水されている。）と、見た目が良くないという問題点が指摘されつつある。
【０００７】
本発明は、従来の技術の有するこのような問題点を鑑みてなされたものであり、その目的とするところは、既存製品の切替栓類の外観上の設計変更等を伴わず、水道水シャワー吐水の良好な整流効果を有する水道水シャワー吐水口（下ケース）を搭載した切替栓類を提供しようとするものである。
【０００８】
上記目的を達成するために、本発明の切替栓類の水道水シャワー吐水口は、水道蛇口固定部品類と、上ケースと、弁本体と、該弁本体右側面部に設けられ、水道水ストレート吐水、水道水シャワー吐水の切替え、又は水道水ストレート吐水、水道水シャワー吐水、水処理器処理水吐水の切替え操作ができて規定角度範囲内で回動するレバーと、複数の小孔を有する水道水シャワー吐水口と水道水ストレート吐水口とを有する下ケースと、からなる切替栓類において、水道水シャワー吐水口の内面に、該小孔の周囲に中空円柱を設け、該中空円柱の内周部に螺旋状突起（類似形状としては雌螺子［ナット］の内周部に設けられた螺子山）を設けたことを特徴とする。
【発明の効果】
【０００９】
水道水シャワー吐水口の内面に、該小孔の周囲に中空円柱を設け、該中空円柱の内周部に螺旋状突起を設けたことにより、水道水シャワー吐水口から垂直にシャワー吐水されるという効果を奏する。
【発明を実施するための最良の形態】
【００１０】
下ケースの水道水シャワー吐水口から垂直にシャワー吐水させる目的を、既存製品の切替栓類の外観上の設計変更等を伴わずに実現した。
【実施例】
【００１１】
図１は、本発明の一実施例の下ケース５３の水道水シャワー吐水口１７部の要部拡大斜視図である。図２は、本発明の一実施例の中空円柱５０部の要部拡大断面図である。図３は、従来の下ケース１２の水道水シャワー吐水口１７部の要部拡大斜視図である。図４は、従来の切替栓類１０の断面図である。
【００１２】
本発明の一実施例の下ケース５３（従来の下ケースは１２）以外は、従来の切替栓類１０と同じなので、従来の構成を中心に詳細説明する。
水道蛇口固定部品類においては、業界で統一規格等を設定して汎用性のある水道用部品を販売しているので、なるべくそれらを使用して、メンテナンス性を良くする。本願の切替栓類１０においては、市販のフィルタ１３（例えば、ポリエステル製網、ナイロン製網、抗菌性金属添着合成樹脂網、ステンレススチール製網、銅製網、銅銀合金製網、アルミニュウム製網、抗菌性金属添着金属網、不織布製網、抗菌性金属添着不織布網等。尚、抗菌性金属においては銀、銅等が有り、添着、添加、含有、コーティング、メッキ、蒸着等の処理加工方法を問わない。）と、市販の水密パッキン１４（例えば、ドーナツ状の厚手ゴム板）と、市販の蛇口固定部品１５（例えば、ポリアセタール樹脂製１６ｍｍ径のＣリング板）と、螺刻された流入口２１に螺着できる回転リング１６（例えば、ポリアセタール樹脂）等を使用する。
上ケース１１（例えば、ＡＢＳ樹脂）は弁本体２０の流入口２１を貫装して、弁本体２０の上部を覆った。
水道水シャワー吐水口１７と水道水ストレート吐水口１８とを有する下ケース５３（例えば、ＡＢＳ樹脂）は、弁本体２０の下部を覆った。
レバー３０（例えば、ＡＢＳ樹脂）に連動して、切替え操作ができる弁本体の構造には、例えば、ボール弁方式、ドラム弁方式、シート弁方式、スプール弁方式等があるが、本願の切替栓類１０においては、スプール弁方式の弁本体２０（例えば、特許文献６参照。）と、その下にシャワーキャップ４０を設けた。
商品群により、レバー３０の切替え操作を、水道水ストレート吐水、水道水シャワー吐水、又は水道水ストレート吐水、水道水シャワー吐水、水処理器処理水吐水、等を選択すると良いが、本願の切替栓類１０においては、レバー３０の切替え操作により、水道水ストレート吐水は弁本体２０の水道水ストレート流出口２２、水道水シャワー吐水は弁本体２０の水道水シャワー流出口１９から吐水されるようにした。
【００１３】
下ケース５３においては、下ケース５３の複数の小孔５２を有する水道水シャワー吐水口１７の内面に、該小孔５２の周囲に中空円柱５０を設け、該中空円柱５０の内周部に螺旋状突起５１を設けた。
該螺旋状突起５１は、右まわりで形成しても、左まわりで形成しても良い。また、該螺旋状突起５１の高さは、本発明の一実施例においては、１ｍｍとしたが、該小孔５２の孔径や、該中空円柱５０の高さにより、若干異なるので、実験等で確認すると良い。
【産業上の利用可能性】
【００１４】
切替栓類のみならず、水道水シャワー吐水口を有するノズル類等にも適用できる。
【図面の簡単な説明】
【００１５】
【図１】本発明の一実施例の下ケースの水道水シャワー吐水口部の要部拡大斜視図である。
【図２】本発明の一実施例の中空円柱部の要部拡大断面図である。
【図３】従来の下ケースの水道水シャワー吐水口部の要部拡大斜視図である。
【図４】従来の切替栓類の断面図である。
【符号の説明】
【００１６】
１０…切替栓、１１…上ケース、１２…従来の下ケース、１３…フィルタ、１４…水密パッキン、１５…蛇口固定部品、１６…回転リング、１７…水道水シャワー吐水口、１８…水道水ストレート吐水口、１９…水道水シャワー流出口、２０…弁本体、２１…流入口、２２…水道水ストレート流出口、３０…レバー、４０…シャワーキャップ、５０…中空円柱、５１…螺旋状突起、５２…小孔、５３…本発明の一実施例の下ケース
【要約】
【課題】切替栓類から吐水される水道水の給水音やシンク等への落下音を小さくしたり水撥ねを無くす為や、シャワー吐水されている状態が落下方向である垂直線に対して、偏心した状態で吐水されているので、切替栓類の下ケースの水道水シャワー吐水口から垂直にシャワー吐水するように整流させる。
【解決手段】切替栓１０の下ケース１２の複数の小孔５２を有する水道水シャワー吐水口１７の内面に、該小孔５２の周囲に中空円柱５０を設け、該中空円柱５０の内周部に螺旋状突起５１を設ける。
【選択図】図１
【図１】
0003618098.tif 000002
【図２】
0003618098.tif 000003
【図３】
0003618098.tif 000004
【図４】
0003618098.tif 000005